(57)【要約】【課題】吸水性に優れるとともに、速乾性に優れ、しかも適度なクッション性があって肌に当たる感触も柔らかで良好な水廻りマットを提供すること。【解決手段】表面層をマイクロファイバの編物からなる吸水性シート２で構成するとともに、フロアに接する裏面層をメッシュ生地からなる通気性シート３で構成し、これら吸水性シート２と通気性シート３との間に、立体構造の編物からなる立体編物シート４を配設し、吸水性シート２、立体編物シート４及び通気性シート３における互いの接触面を接合してシート２，４，３が互いにずれるのを確実に防ぐようにしている。【選択図】図２
2014226305.tif 000002
【特許請求の範囲】
【請求項１】
表面層をマイクロファイバのパイル生地からなる吸水性シートで構成するとともに、フロアに接する裏面層をメッシュ生地からなる通気性シートで構成し、これら吸水性シートと通気性シートとの間に、立体構造の編物からなる立体編物シートを配設したことを特徴とする水廻りマット。
【請求項２】
吸水性シート、立体編物シート及び通気性シートにおける互いの接触面を接合したことを特徴とする請求項１記載の水廻りマット。
【発明の詳細な説明】
【技術分野】
【０００１】
本発明は、例えば、風呂場の上がり口や台所、洗面所等の水廻りのフロアの敷物として用いられて好適な水廻りマットに関するものである。
【背景技術】
【０００２】
従来、例えば、風呂場の上がり口には、入浴者が浴室から出たときに、身体に付着している水が落ちて脱衣室のフロアを濡らさないように水廻りマットを敷くようにしている。
また、台所、洗面所等の水廻りのフロアや玄関、エレベータ、車内等にも、同様のマットを敷いて、台所仕事や洗面時等に飛散する水からフロアを保護するようにしている。
【０００３】
この種の水廻りマットとしては、吸水性を重視して、綿、アクリル等の吸水性の良好な繊維からなるパイル生地や織物のマットが用いられていた。
しかし、例えば、大人数の使用等に起因して水廻りマットに吸水される水量が多くなると、表面の繊維が水分過多によってへたり、素足に対して水濡れによるべとつき感を感じさせるとともに、なかなか乾燥しないという不具合があった。
【０００４】
上記のような不具合を解消し得る水廻りマットが、例えば、特許文献１にて提案されている。
【先行技術文献】
【特許文献】
【０００５】
【特許文献１】特開２０００−３１６７０３号公報
【０００６】
この特許文献１に係る水廻りマットによれば、表面が保水性の小さい立体メッシュ布で構成されているので、水廻りマットに吸水される水量が多くなったとしても、表面に水分を含むことがなくなり、素足に対して水濡れによるべとつき感を感じさせることがなくなるとともに、素早く乾燥させることができる。
しかしながら、この水廻りマットでは、素足が立体メッシュ布に接触した感触が硬いため、柔らかい肌触りが損なわれるという問題点がある。
【発明の概要】
【発明が解決しようとする課題】
【０００７】
本発明は、上記従来の水廻りマットの有する問題点に鑑み、吸水性に優れるとともに、速乾性に優れ、しかも適度なクッション性があって肌に当たる感触も柔らかで良好な水廻りマットを提供することを目的とする。
【課題を解決するための手段】
【０００８】
上記目的を達成するため、本発明の水廻りマットは、表面層をマイクロファイバのパイル生地からなる吸水性シートで構成するとともに、フロアに接する裏面層をメッシュ生地からなる通気性シートで構成し、これら吸水性シートと通気性シートとの間に、立体構造の編物からなる立体編物シートを配設したことを特徴とする。
【０００９】
この場合において、吸水性シート、立体編物シート及び通気性シートにおける互いの接触面を接合することができる。
【発明の効果】
【００１０】
本発明の水廻りマットによれば、表面層がマイクロファイバのパイル生地からなる吸水性シートで構成されているので、表面に付着した水を速やかに吸水することができるとともに、肌に当たる感触を柔らかで良好なものにすることができる。
吸水性シートと通気性シートとの間には、立体構造の編物からなる立体編物シートが配設されているので、通気性シートを通して空気が立体編物シートの内部に導入されることになり、吸水性シートの裏側に多くの空気をスムーズに流通させることができて、吸水性シートを速やかに乾かすことができる。
また、立体編物シートが有する弾力性により、水廻りマットに適度なクッション性を付与することができる。
したがって、吸水性に優れるとともに、速乾性に優れ、しかも適度なクッション性があって肌に当たる感触も柔らかで良好な水廻りマットを得ることができる。
【００１１】
また、吸水性シート、立体編物シート及び通気性シートにおける互いの接触面を接合することにより、使用に伴ってシートが互いにずれるのを確実に防ぐことができる。
【図面の簡単な説明】
【００１２】
【図１】本発明の一実施形態に係る水廻りマットの外観斜視図である。
【図２】（ａ）は図１のＡ−Ａ線断面図で、（ｂ）は（ａ）のＢ部拡大図である。
【発明を実施するための形態】
【００１３】
次に、本発明の水廻りマットの実施の形態を、図面に基づいて説明する。
【００１４】
図１に示すように、本実施形態の水廻りマット１は、例えば、風呂場の上がり口や台所、洗面所等の水廻りのフロアに敷くのに必要十分な広さの外観視四角形状の敷物である。
図２（ａ）に示すように、水廻りマット１においては、足肌が触れる表面層を吸水性シート２で構成するとともに、フロアに接する裏面層を通気性シート３で構成し、これら吸水性シート２と通気性シート３との間に立体編物シート４を配設するようにしている。
【００１５】
＜吸水性シートの説明＞
図２（ｂ）に示すように、吸水性シート２は、マイクロファイバのパイル生地からなるものであって、下地５から多数の切毛状のパイル（カットパイル）６を表面に毛羽立たせた生地で構成されている。
なお、パイル６は、カットパイルのほか、ループパイルを用いることもできる。
ここで、マイクロファイバは、例えば、線径が、１０マイクロメートル以下、好ましくは、８マイクロメートルの極細のポリエステル系繊維からなり、木綿と同等以上の吸水性や通気性・保温性を持たせた素材である。
【００１６】
＜立体編物シートの説明＞
立体編物シート４は、ハニカム構造の立体構造の編物からなるものであって、鎖状に編んだ糸条によって六角形の網目を連続的に形成してなる一対のメッシュ地７，７´を上下に所定の隙間を存して配し、これらメッシュ地７，７´同士を縦方向（上下方向）に無数の連結糸８で結び付けて構成している。
連結糸８は、対向する一対のメッシュ地７，７´の間を所定パターンで往復して、これらメッシュ地７，７´の間に所定の空隙を設けつつ、両者を連結するようにしている。
こうして、立体編物シート４は、空隙率が大きく通水性に優れ、厚み方向には連結糸８の弾力性にて適度なクッション性を有するものとされる。
【００１７】
各メッシュ地７，７´としては、ポリエステル系繊維を好適に用いることができる。
一方、連結糸８としては、線径が、０．０５〜０．３ｍｍのポリエステル系モノフィラメント糸（ＰＥＴ（ポリエチレンテレフタレート）、ＰＢＴ（ポリブチレンテレフタレート）、ＰＥＮ（ポリエチレンナフタレート）等）を好適に用いることができる。
【００１８】
＜通気性シートの説明＞
通気性シート３は、例えば、ポリエステル繊維を鎖状に編んだ糸条によって網目を連続的に形成したメッシュ生地をシート状に編成してなるものである。
通気性シート３は、フロアに直接的に接するものであるため、その下側表面（裏面）には、滑り止め加工を施して、滑り止め層９を形成することが好ましい。
滑り止め層９は、基本的に、通気性シート３の裏面にポリウレタンやゴムのコーティングによってなされるものである。それ以外にも公知の粘着材料を通気性シート３の裏面に塗布、噴霧、ディッピング等で付着することで形成することができる。いずれの滑り止め処理においても通気性シート３の通気性を損なわないようにするために通気性シート３の網目を塞がないようにすることが望ましい。
なお、通気性シート３の裏面に滑り止め加工を施すのではなく、通気性シート３の裏面にゴムシートや、凹凸形状、波形状の表面加工が施されたシート等の滑り止めシートを、所定以上の通気性能を発揮するという条件を満足する範囲で配設してもよい。
【００１９】
＜各シートの接合についての説明＞
吸水性シート２と立体編物シート４と通気性シート３とを積層するに当たっては、使用に伴ってシート２，４，３が互いにずれるのを確実に防ぐために、シート２，４，３を互いにずれることがないように互いの接触面を全面的に接合するのが好ましい。
接合手段については、接着剤によって接着するのがよいが、熱による融着、あるいはキルティング状にミシンで縫ってもよい。
【００２０】
図１及び図２（ａ）に示すように、本実施形態においては、互いに接合された吸水性シート２、立体編物シート４及び通気性シート３の外周縁全体を帯状の縁取り部材１０で覆い、該縁取り部材１０をシート２，４，３に縫着した構造とされている。これにより、立体編物シート４の繊維が外周から突き出すことを防止することができるとともに、各シート２，４，３の位置ずれをより確実に防止することができ、さらに、水廻りマット１の周辺部を補強してへたりにくくすることができる。
【００２１】
＜作用効果の説明＞
以上に述べたような水廻りマット１は、例えば、浴室の脱衣所や出入り口、トイレ、洗面台、キッチン、自動車の座席下等に設置することができる。
例えば、濡れた足を水廻りマット１の上に載せると、その水分が吸水性シート２により吸水される。
吸水性シート２は、マイクロファイバのパイル生地からなるものとされ、下地５から多数の切毛状のパイル６が表面に毛羽立った生地で構成されているので、多数のパイル６により、表面に付着した水を速やかに吸水することができるとともに、足肌に当たる感触を柔らかで良好なものにすることができる。
【００２２】
吸水性シート２と通気性シート３との間には、空隙率が大きい立体編物シート４が介挿されているので、通気性シート３を通して空気が立体編物シート４の内部に導入されることになり、吸水性シート２の裏側に多くの空気をスムーズに流通させることができて、吸水性シート２を速やかに乾かすことができる。
このように、通気性シート３と立体編物シート４とによる通気構造体によって吸水性シート２を迅速に乾かすことができるので、水廻りマット１が濡れた状態ではなく乾いた状態に保持されて、水廻りマット１を極めて快適に使用することができるとともに、吸水性シート２の吸水性能を素早く復活させることができ、マット交換を少なくすることができる。
【００２３】
また、立体編物シート４における連結糸８の弾力性により、水廻りマット１に適度なクッション性を付与することができるので、吸水性シート２によるサラサラとした柔らかな感触に加えて、立体編物シート４によるフワフワとした重厚感のある感触を水廻りマット１に付与することができる。
【００２４】
以上、本発明の水廻りマットについて、一実施形態に基づいて説明したが、本発明は上記実施形態に記載した構成に限定されるものではなく、その趣旨を逸脱しない範囲において適宜その構成を変更することができるものである。
【産業上の利用可能性】
【００２５】
本発明の水廻りマットは、吸水性に優れるとともに、速乾性に優れ、しかも適度なクッション性があって肌に当たる感触も柔らかで良好であるという特性を有していることから、風呂場の上がり口、台所、洗面所等の水廻りのフロアの保護の用途に好適に用いることができるほか、例えば、玄関、エレベータ、車内等に敷くことにより、特に、雨天時等の傘、衣服、靴等からの落水によるフロアの濡れや滑り汚れの抑制の用途にも用いることができる。
【符号の説明】
【００２６】
１  水廻りマット
２  吸水性シート
３  通気性シート
４  立体編物シート
６  パイル
７  メッシュ地
７´  メッシュ地
８  連結糸
９    滑り止め層
１０  縁取り部材
【図１】
2014226305.tif 000003
【図２】
2014226305.tif 000004